(57)【要約】【課題】従来のテレビジョン装置においては、映像中のＣＭ区間を利用し、例えば、視覚障害者の方や聴覚障害者の方への、映像を視聴する上での補助となる情報を提供することができなかった。【解決手段】画像と音声とを対応付けて有する映像情報であり、広告を示す映像情報である広告映像情報を検知するための情報である１以上の広告映像検知情報が格納される広告映像検知情報格納部と、１以上の映像情報を受信する受信部と、当該映像情報から広告映像検知情報に合致する広告映像情報を検知する広告映像情報検知部と、映像情報を視聴する上での補助となる情報である１以上の補助情報を取得する補助情報取得部と、広告映像検知情報に合致する広告映像情報の検知後に、補助情報取得部が取得した補助情報を出力する出力部とを具備するテレビジョン装置により、映像中のＣＭ区間を検知し、当該ＣＭ中に映像を視聴する上での補助となる情報を提供することができる。【選択図】図１
2013126079.tif 000002
【特許請求の範囲】
【請求項１】
画像と音声とを対応付けて有する映像情報であり、広告を示す映像情報である広告映像情報を検知するための情報である１以上の広告映像検知情報が格納される広告映像検知情報格納部と、
１以上の映像情報を受信する受信部と、
前記受信部が受信した映像情報から、前記広告映像検知情報に合致する広告映像情報を検知する広告映像情報検知部と、
前記映像情報を視聴する上での補助となる情報である１以上の補助情報を取得する補助情報取得部と、
前記広告映像検知情報に合致する広告映像情報の検知後に、前記補助情報取得部が取得した補助情報を出力する出力部とを具備するテレビジョン装置。
【請求項２】
前記補助情報は、前記映像情報が示す番組に関する番組関連情報であり、
前記受信部が受信した映像情報が示す番組を特定する番組特定部をさらに具備し、
前記補助情報取得部は、
前記番組特定部が特定した番組に対応する１以上の番組関連情報を取得し、
前記出力部は、
前記補助情報取得部が取得した番組関連情報を出力する請求項１記載のテレビジョン装置。
【請求項３】
番組を識別する番組識別子と、当該番組が放送されるチャンネルを識別するチャンネル識別子と、当該番組が放送される時間帯を示す放送時間帯情報とを対応付けて有する２以上の番組情報を有する電子番組表が格納される電子番組表格納部をさらに具備し、
前記番組特定部は、
チャンネル識別子を取得するチャンネル識別子取得手段と、
現在時刻を示す現在時刻情報を取得する現在時刻情報取得手段と、
前記チャンネル識別子と、前記現在時刻情報が含まれる放送時間帯情報とに対応付いている番組識別子を前記電子番組表格納部から取得する番組特定手段とを具備する請求項２記載のテレビジョン装置。
【請求項４】
前記受信部は、
１以上の映像情報、または１以上の広告映像情報、または番組識別子を有する１以上の番組関連情報を受信し、
前記補助情報取得部は、
前記番組特定部が特定した番組を識別する番組識別子を有する１以上の番組関連情報を、前記受信部が受信した１以上の番組関連情報から取得する請求項２または請求項３記載のテレビジョン装置。
【請求項５】
インターネット上に、番組識別子を有する１以上の番組関連情報が掲載されたサイトがあり、
前記補助情報取得部は、
前記番組特定部が特定した番組を識別する番組識別子を有する１以上の番組関連情報を、前記インターネット上のサイトから取得する請求項２または請求項３記載のテレビジョン装置。
【請求項６】
番組識別子と、番組関連情報とを対応付けて有する２以上の番組情報を有する電子番組表が格納される電子番組表格納部をさらに具備し、
前記補助情報取得部は、
前記番組特定部が特定した番組を識別する番組識別子に対応する１以上の番組関連情報を、前記電子番組表格納部から取得する請求項２記載のテレビジョン装置。
【請求項７】
前記電子番組表格納部には、
番組識別子と、番組関連情報とを対応付けて有する２以上の番組情報を有する電子番組表が格納され、
前記補助情報取得部は、
前記番組特定部が特定した番組を識別する番組識別子に対応する１以上の番組関連情報を、前記電子番組表格納部から取得する請求項３記載のテレビジョン装置。
【請求項８】
前記出力部は、
前記補助情報取得部が取得した補助情報を音声に変換して補助音声を取得し、当該補助音声を出力する請求項１から請求項７いずれか記載のテレビジョン装置。
【請求項９】
前記出力部は、
前記補助情報取得部が取得した補助情報を画像に変換して補助画像を取得し、当該補助画像を出力する請求項１から請求項７いずれか記載のテレビジョン装置。
【請求項１０】
前記出力部は、
前記補助情報取得部が取得した補助情報を、他の装置に送信する請求項１から請求項９いずれか記載のテレビジョン装置。
【請求項１１】
前記出力部は、
前記受信部が受信した映像情報を出力する、または前記補助情報取得部が取得した補助情報を、出力している映像情報に代えて出力する請求項１から請求項１０いずれか記載のテレビジョン装置。
【請求項１２】
記録媒体に、
画像と音声とを対応付けて有する映像情報であり、広告を示す映像情報である広告映像情報を検知するための情報である１以上の広告映像検知情報が格納されており、
受信部と、広告映像情報検知部と、補助情報取得部と、出力部とを用いて行われる情報処理方法であって、
前記受信部が、１以上の映像情報を受信する受信ステップと、
前記広告映像情報検知部が、前記受信部が受信した映像情報から、前記広告映像検知情報に合致する広告映像情報を検知する広告映像情報検知ステップと、
前記補助情報取得部が、前記映像情報を視聴する上での補助となる情報である１以上の補助情報を取得する補助情報取得ステップと、
前記出力部が、前記広告映像検知情報に合致する広告映像情報の検知後に、前記補助情報取得部が取得した補助情報を出力する出力ステップとを具備する情報処理方法。
【請求項１３】
記録媒体に、
画像と音声とを対応付けて有する映像情報であり、広告を示す映像情報である広告映像情報を検知するための情報である１以上の広告映像検知情報が格納されており、
コンピュータを、
１以上の映像情報を受信する受信部と、
前記受信部が受信した映像情報から、前記広告映像検知情報に合致する広告映像情報を検知する広告映像情報検知部と、
前記映像情報を視聴する上での補助となる情報である１以上の補助情報を取得する補助情報取得部と、
前記広告映像検知情報に合致する広告映像情報の検知後に、前記補助情報取得部が取得した補助情報を出力する出力部として機能させるためのプログラム。
【発明の詳細な説明】
【技術分野】
【０００１】
本発明は、テレビジョン装置等に関するものである。
【背景技術】
【０００２】
従来、映像を表示するテレビジョン装置等が開発されている（特許文献１参照）。
【先行技術文献】
【特許文献】
【０００３】
【特許文献１】特開２０１０−１２４１９７
【発明の概要】
【発明が解決しようとする課題】
【０００４】
しかしながら、従来のテレビジョン装置においては、映像中のＣＭ区間を利用し、例えば、視覚障害者の方や聴覚障害者の方への、映像を視聴する上での補助となる情報を提供することができなかった。
【課題を解決するための手段】
【０００５】
本第一の発明のテレビジョン装置は、画像と音声とを対応付けて有する映像情報であり、広告を示す映像情報である広告映像情報を検知するための情報である１以上の広告映像検知情報が格納される広告映像検知情報格納部と、１以上の映像情報を受信する受信部と、受信部が受信した映像情報から、広告映像検知情報に合致する広告映像情報を検知する広告映像情報検知部と、映像情報を視聴する上での補助となる情報である１以上の補助情報を取得する補助情報取得部と、広告映像検知情報に合致する広告映像情報の検知後に、補助情報取得部が取得した補助情報を出力する出力部とを具備するテレビジョン装置である。
【０００６】
このような構成により、ＣＭ中に、番組の視聴を補助する情報を出力することができる。
【０００７】
また、本第二の発明のテレビジョン装置は、第一の発明に対して、補助情報は、映像情報が示す番組に関する番組関連情報であり、受信部が受信した映像情報が示す番組を特定する番組特定部をさらに具備し、補助情報取得部は、番組特定部が特定した番組に対応する１以上の番組関連情報を取得し、出力部は、補助情報取得部が取得した番組関連情報を出力するテレビジョン装置である。
【０００８】
このような構成により、ＣＭ中に、視聴している番組に関する情報を出力することができる。
【０００９】
また、本第三の発明のテレビジョン装置は、第二の発明に対して、番組を識別する番組識別子と、番組が放送されるチャンネルを識別するチャンネル識別子と、番組が放送される時間帯を示す放送時間帯情報とを対応付けて有する２以上の番組情報を有する電子番組表が格納される電子番組表格納部をさらに具備し、番組特定部は、チャンネル識別子を取得するチャンネル識別子取得手段と、現在時刻を示す現在時刻情報を取得する現在時刻情報取得手段と、チャンネル識別子と、現在時刻情報が含まれる放送時間帯情報とに対応付いている番組識別子を電子番組表格納部から取得する番組特定手段とを具備するテレビジョン装置である。
【００１０】
このような構成により、電子番組表から、視聴している番組を特定することができる。
【００１１】
また、本第四の発明のテレビジョン装置は、第二または第三の発明に対して、受信部は、１以上の映像情報、または１以上の広告映像情報、または番組識別子を有する１以上の番組関連情報を受信し、補助情報取得部は、番組特定部が特定した番組を識別する番組識別子を有する１以上の番組関連情報を、受信部が受信した１以上の番組関連情報から取得するテレビジョン装置である。
【００１２】
このような構成により、番組に関する情報を受信し、ＣＭ中に、当該番組に関する情報を出力することができる。
【００１３】
また、本第五の発明のテレビジョン装置は、第二または第三の発明に対して、インターネット上に、番組識別子を有する１以上の番組関連情報が掲載されたサイトがあり、補助情報取得部は、番組特定部が特定した番組を識別する番組識別子を有する１以上の番組関連情報を、インターネット上のサイトから取得するテレビジョン装置である。
【００１４】
このような構成により、インターネット上のサイトから番組に関する情報を取得し、ＣＭ中に、当該番組に関する情報を出力することができる。
【００１５】
また、本第六の発明のテレビジョン装置は、第二の発明に対して、番組識別子と、番組関連情報とを対応付けて有する２以上の番組情報を有する電子番組表が格納される電子番組表格納部をさらに具備し、補助情報取得部は、番組特定部が特定した番組を識別する番組識別子に対応する１以上の番組関連情報を、電子番組表格納部から取得するテレビジョン装置である。
【００１６】
このような構成により、電子番組表から番組に関する情報を取得し、ＣＭ中に、当該番組に関する情報を出力することができる。
【００１７】
また、本第七の発明のテレビジョン装置は、第三の発明に対して、電子番組表格納部には、番組識別子と、番組関連情報とを対応付けて有する２以上の番組情報を有する電子番組表が格納され、補助情報取得部は、番組特定部が特定した番組を識別する番組識別子に対応する１以上の番組関連情報を、電子番組表格納部から取得するテレビジョン装置である。
【００１８】
このような構成により、電子番組表から番組に関する情報を取得し、ＣＭ中に、当該番組に関する情報を出力することができる。
【００１９】
また、本第八の発明のテレビジョン装置は、第一から第七いずれかの発明に対して、出力部は、補助情報取得部が取得した補助情報を音声に変換して補助音声を取得し、補助音声を出力するテレビジョン装置である。
【００２０】
このような構成により、ＣＭ中に、番組の視聴を補助する音声を出力することができる。
【００２１】
また、本第九の発明のテレビジョン装置は、第一から第七いずれかの発明に対して、出力部は、補助情報取得部が取得した補助情報を画像に変換して補助画像を取得し、補助画像を出力するテレビジョン装置である。
【００２２】
このような構成により、ＣＭ中に、番組の視聴を補助する画像を出力することができる。
【００２３】
また、本第十の発明のテレビジョン装置は、第一から第九いずれかの発明に対して、出力部は、補助情報取得部が取得した補助情報を、他の装置に送信するテレビジョン装置である。
【００２４】
このような構成により、ＣＭ中に、番組の視聴を補助する情報を、他の装置にて出力することができる。
【００２５】
また、本第十一の発明のテレビジョン装置は、第一から第十いずれかの発明に対して、出力部は、受信部が受信した映像情報を出力する、または補助情報取得部が取得した補助情報を、出力している映像情報に代えて出力するテレビジョン装置である。
【００２６】
このような構成により、ＣＭ中に、当該ＣＭに代えて、番組の視聴を補助する情報を出力することができる。
【発明の効果】
【００２７】
本発明によるテレビジョン装置等によれば、映像中のＣＭ区間を検知し、当該ＣＭ中に、映像を視聴する上での補助となる情報を提供することができる。これにより、例えば、視覚障害者の方は、映像を視聴する上での補助となる音声を聴くことができる。また、これにより、例えば、聴覚障害者の方は、映像を視聴する上での補助となる画像を観ることができる。
【図面の簡単な説明】
【００２８】
【図１】実施の形態１におけるテレビジョン装置１のブロック図
【図２】同テレビジョン装置１の全体動作について説明するフローチャート
【図３】同番組の特定処理について説明するフローチャート
【図４】同補助情報の取得処理について説明するフローチャート
【図５】同広告映像検知情報の例を示す図
【図６】同電子番組表の例を示す図
【図７】同番組関連情報の例を示す図
【図８】同番組関連情報の例を示す図
【図９】同番組関連情報の出力例を示す図
【図１０】同コンピュータシステムの概観図
【図１１】同コンピュータシステムのブロック図
【発明を実施するための形態】
【００２９】
以下、本発明によるテレビジョン装置等の実施形態について図面を参照して説明する。なお、実施の形態において同じ符号を付した構成要素は同様の動作を行うので、再度の説明を省略する場合がある。また、所定の情報が格納され得る格納部等において、当該格納部に情報が記憶される過程は問わないものとする。例えば、記録媒体を介して情報が格納部等で記憶されるようになってもよい。また、通信回線などを介して送信された情報が格納部等で記憶されるようになってもよい。さらに、入力デバイスを介して入力された情報が格納部等で記憶されるようになってもよい。また、本実施の形態において、検索とは、検索対象となる情報から、指定された情報を用いて、当該指定された情報に一致する情報を検知することや、当該検知した情報を取得すること、当該検知した情報に対応付けられた情報を取得することなどを意味し、広く解する。また、本実施の形態において説明する各情報の形式、内容などは、あくまで例示であり、各情報の持つ意味を示すことができれば、形式、内容などは問わない。
【００３０】
（実施の形態１）
本実施の形態において、映像中のＣＭ区間を検知し、当該ＣＭ中にＣＭ以外の情報を出力するテレビジョン装置１について説明する。
【００３１】
なお、本実施の形態におけるテレビジョン装置１は、例えば、いわゆるテレビや、テレビチューナー、ハードディスク・レコーダーやブルーレイディスク・レコーダーなどの映像録画再生機などである。
【００３２】
図１は、本実施の形態におけるテレビジョン装置１のブロック図である。テレビジョン装置１は、映像情報格納部１１、広告映像検知情報格納部１２、電子番組表格納部１３、受信部１４、広告映像情報検知部１５、番組特定部１６、補助情報取得部１７、出力部１８を備える。番組特定部１６は、チャンネル識別子取得手段１６１、現在時刻情報取得手段１６２、番組特定手段１６３を備える。
【００３３】
映像情報格納部１１には、映像情報が格納される。映像情報とは、画像と音声とを対応付けて有する情報であり、映像を示す情報である。映像情報は、例えば、番組を示す番組映像情報や、広告を示す広告映像情報などである。広告映像情報は、いわゆるＣＭである。つまり、映像情報は、番組映像情報や、広告映像情報などを含む概念である。また、番組映像情報は、広告映像情報を含む概念であってもよいし、含まない概念であってもよい。また、画像は、通常、動画を構成するフレームである。また、映像情報は、当該映像情報が放送されるチャンネルを識別するチャンネル識別子と対応付いていることが好適である。なお、当該「対応付いている」とは、有していることも含み、広く解する。また、当該チャネル識別子は、通常、チャンネルを示すチャンネル番号である。また、当該映像情報は、テレビ局を識別するテレビ局識別子や、いわゆるテレビ番組を識別する番組識別子などと対応付いていてもよい。なお、これらの情報の形式や内容などは問わない。また、映像情報は、通常、映像を信号化した映像信号である。つまり、当該映像情報が有する画像と音声も、通常、画像を信号化した画像信号、および音声を信号化した音声信号である。
【００３４】
また、映像情報格納部１１は、通常、いわゆるバッファである。また、当該バッファは、リングバッファであることが好適である。
【００３５】
広告映像検知情報格納部１２には、１以上の広告映像検知情報が格納される。広告映像検知情報とは、後述の受信部１４が受信している１以上の映像情報から、広告映像情報を検知するための情報である。なお、広告映像検知情報は、後述の受信部１４による広告映像情報の受信の開始、または後述の受信部１４による広告映像情報の受信の終了を検知するための情報であってもよい。
【００３６】
広告映像検知情報は、通常、広告映像を検知することに関する広告映像検知条件である。広告映像検知条件は、例えば、（１）映像情報が有する音声の録音形式（チャンネル数）が切り替わることを示す条件や、（２）映像情報が有する音声の音量が切り替わることを示す条件や、（３）映像情報が有する画像が切り替わることを示す条件などである。
【００３７】
（１）は、例えば、（１−ａ）「モノラル−＞ステレオ」や、（１−ｂ）「ステレオ−＞モノラル」、（１−ｃ）「モノラル＜−＞ステレオ」などである。（１−ａ）は、音声が、モノラル（１ｃｈ）からステレオ（２ｃｈ）に切り替わることを示す。また、（１−ｂ）は、音声が、ステレオからモノラルに切り替わることを示す。また、（１−ｃ）は、音声が、モノラルからステレオ、またはステレオからモノラルに切り替わることを示す。
【００３８】
また、（２）は、例えば、（２−ａ）「音量＋１０％」や、（２−ｂ）「音量−１０ｄＢ」、（２−ｃ）「音量±１０％」、（２−ｄ）「音量｜無音｜２秒」、（２−ｅ）「音量：０：１２０フレーム」などである。（２−ａ）は、音量が、１０％大きくなることを示す。また、（２−ｂ）は、音量が、１０ｄＢ小さくなることを示す。また、（２−ｃ）は、音量が、１０％大きくなる、または１０％小さくなることを示す。また、（２−ｄ）は、音量が、２秒間、無音（０）になることを示す。また、（２−ｅ）は、音量が、１２０フレーム間、０（無音）になることを示す。
【００３９】
また、（３）は、例えば、（３−ａ）「画像｜黒｜３０フレーム」や、（３−ｂ）「画像：白：１．５秒」などである。（３−ａ）は、画像が、３０フレーム間、黒の画像に切り替わることを示す。また、（３−ｂ）は、画像が、１．５秒間、白の画像に切り替わることを示す。
【００４０】
また、広告映像検知情報は、例えば、画像や、音声であってもよい。画像である場合、広告映像検知情報は、通常、画像信号である。また、音声である場合、広告映像検知情報は、通常、音声信号である。
【００４１】
電子番組表格納部１３には、電子番組表が格納される。電子番組表とは、いわゆるＥＰＧ（Ｅｌｅｃｔｒｏｎｉｃ  Ｐｒｏｇｒａｍ  Ｇｕｉｄｅ）や、ＩＰＧ（Ｉｎｔｅｒａｃｔｉｖｅ  Ｐｒｏｇｒａｍ  Ｇｕｉｄｅ）のことであり、電子的なテレビ番組表のことである。電子番組表は、２以上の番組情報を有する。番組情報とは、番組を識別する番組識別子と、番組が放送されるチャンネルを識別するチャンネル識別子と、番組が放送される時間帯を示す放送時間帯情報とを対応付けて有する情報である。また、番組情報は、番組識別子と、番組に関連する情報である番組関連情報とを対応付けて有する情報であってもよい。また、番組情報は、例えば、番組を放送するテレビ局を識別するテレビ局識別子や、番組が放送される日付を示す日付情報、番組のカテゴリを示すカテゴリ情報などを有していてもよい。なお、番組とは、いわゆるテレビ番組である。
【００４２】
番組識別子は、例えば、番組ＩＤや、番組コードなどであるが、番組のタイトルであってもよい。また、チャンネル識別子は、通常、チャンネルを示すチャンネル番号である。また、放送時間帯情報は、通常、番組の開始時刻を示す開始時刻情報と、番組の終了時刻を示す終了時刻情報とを有する。また、番組関連情報は、例えば、番組のタイトルや、番組のあらすじ、番組の概要、番組の詳細、番組の解説、番組の出演者、番組に対するコメントなど、番組に関する情報であれば、内容は問わない。また、番組関連情報は、番組識別子や、チャンネル識別子、放送時間帯情報などであってもよい。
【００４３】
受信部１４は、１以上の映像情報を受信する。当該映像情報は、番組映像情報、または広告映像情報を有する。つまり、受信部１４は、１以上の番組映像情報、または１以上の広告映像情報を受信する。また、受信部１４は、番組識別子を有する１以上の番組関連情報を受信してもよい。受信部１４は、通常、番組映像情報または広告映像情報のいずれかを受信するが、当該番組関連情報は、番組映像情報または広告映像情報のいずれかと同時に受信してもよい。「同時」とは、一緒や、並列、並行などを含み、広く解する。
【００４４】
当該映像情報は、通常、いわゆるテレビジョン放送により放送された情報であるが、例えば、インターネットなど、その他の手段により配信、送信されたものであってもよい。また、受信部１４は、通常、テレビジョン装置１の電源がＯＮになっている間、常に当該映像情報を受信している。また、受信部１４は、通常、受信した映像情報を、映像情報格納部１１に蓄積する。
【００４５】
また、当該番組関連情報は、通常、いわゆるデータ放送により放送された情報であるが、例えば、インターネットなど、その他の手段により配信、送信されたものであってもよい。受信部１４は、通常、テレビジョン装置１の電源がＯＮになっている間、常に当該番組関連情報を受信しているが、当該番組関連情報が放送されていない場合は、受信しない。また、受信部１４は、通常、受信した番組関連情報を、映像情報格納部１１に蓄積するが、任意の記憶領域に蓄積してもよい。
【００４６】
なお、本実施の形態において、受信部１４が受信した映像情報、および受信部１４が映像情報格納部１１に蓄積した映像情報を、受信映像とする。また、本実施の形態において、当該受信映像が有する画像を、受信画像、当該受信映像が有する音声を、受信音声とする。また、本実施の形態において、受信映像、および受信画像を、フレームと称することもある。また、受信映像は、通常、後述の出力部１８が、いわゆるテレビ映像として出力する。
【００４７】
受信部１４は、通常、無線または有線の通信手段で実現されるが、放送を受信する手段で実現されてもよい。
【００４８】
広告映像情報検知部１５は、受信映像から、広告映像検知情報格納部１２に格納されている広告映像検知情報に合致する映像情報を検知する。つまり、広告映像情報検知部１５は、広告映像検知情報を用いて、受信映像における広告映像情報の開始（ＣＭの開始）を検知する。また、広告映像情報検知部１５は、広告映像検知情報を用いて、受信映像における広告映像情報の終了（ＣＭの終了）を検知してもよい。広告映像情報の開始のみを検知する場合、広告映像情報検知部１５は、通常、広告映像情報の開始の開始から、広告映像情報の終了までのフレーム数や時間などを保持しており、当該フレーム数や時間を用いて、広告映像情報の終了を検知する。
【００４９】
例えば、広告映像情報の終了までのフレーム数を保持している場合、広告映像情報検知部１５は、受信映像における広告映像情報の開始の検知後、当該フレーム数の受信後の受信映像を、広告映像情報の終了であると検知する。また、例えば、広告映像情報の終了までの時間を保持している場合、広告映像情報検知部１５は、受信映像における広告映像情報の開始の検知後、当該時間の経過後の受信画像を、広告映像情報の終了であると検知する。また、例えば、広告映像情報の終了までの時間を保持している場合、広告映像情報検知部１５は、当該時間から、広告映像情報の終了までのフレーム数を算出してもよい。この場合、広告映像情報検知部１５は、通常、１秒あたりのフレーム数を有しており、当該時間と当該１秒あたりのフレーム数を乗算し、広告映像情報の終了までのフレーム数を算出する。
【００５０】
なお、広告映像情報の終了までのフレーム数や、広告映像情報の終了までの時間は、広告映像検知情報として、広告映像検知情報格納部１２に格納されていてもよい。
【００５１】
また、広告映像検知情報は、前述のように、条件や、画像、音声などである。つまり、上記「合致」は、当該条件を満たすことや、当該条件に合致すること、当該画像に一致すること、当該画像に合致すること、当該音声に一致すること、当該音声に合致することなどを含み、広く解する。
【００５２】
番組特定部１６は、受信映像が示す番組を特定する。番組特定部１６は、通常、広告映像情報検知部１５の広告映像情報の検知後に、受信映像が示す番組を特定する。また、番組特定部１６は、例えば、受信部１４が映像情報を受信している間であれば、予め決められた任意の時間ごとに、受信映像が示す番組を特定してもよい。また、番組特定部１６は、通常、後述の各手段により、受信映像が示す番組を特定する。
【００５３】
チャンネル識別子取得手段１６１は、チャンネル識別子を取得する。当該チャンネル識別子は、通常、ユーザのリモコン操作により指定されたチャンネル識別子であり、予め決められた特定の記憶領域に格納されているチャンネル識別子である。また、当該チャンネル識別子は、例えば、受信映像に対応付いているチャンネル識別子であってもよい。つまり、チャンネル識別子取得手段１６１は、予め決められた特定の記憶領域に格納されているチャンネル識別子、または、受信映像に対応付けられているチャンネル識別子を取得する。
【００５４】
現在時刻情報取得手段１６２は、現在時刻を示す現在時刻情報を取得する。現在時刻情報の取得の方法や手順などは問わない。
【００５５】
番組特定手段１６３は、チャンネル識別子取得手段１６１が取得したチャンネル識別子と、現在時刻情報取得手段１６２が取得した現在時刻情報が含まれる放送時間帯情報とに対応付いている番組識別子を、電子番組表格納部１３から取得する。そして、番組特定手段１６３は、当該取得した番組識別子で識別される番組が、受信映像が示す番組であると特定する。また、番組特定手段１６３は、通常、一の番組識別子を取得する。
【００５６】
また、番組特定手段１６３は、現在時刻情報が、放送時間帯情報に含まれるか否かを判断する。具体的には、番組特定手段１６３は、現在時刻情報が示す現在時刻が、放送時間帯情報が示す時間帯の範囲内であるか否かを判断する。
【００５７】
例えば、現在時刻情報が「１０：００」であり、放送時間帯情報が「０９：００〜１１：００」である場合、当該「１０：００」は、「０９：００〜１１：００」の範囲内であるので、番組特定手段１６３は、当該現在時刻情報は当該放送時間帯情報に含まれると判断する。この場合、番組特定手段１６３は、当該放送時間帯情報「０９：００〜１１：００」を有する一の番組情報、または当該放送時間帯情報「０９：００〜１１：００」に対応付けられている一の番組識別子を取得する。
【００５８】
また、例えば、現在時刻情報が「１５：００」であり、放送時間帯情報が「１２：００−１３：３０」である場合、当該「１５：００」は、「１２：００〜１３：３０」の範囲外であるので、番組特定手段１６３は、当該現在時刻情報は当該放送時間帯情報に含まれないと判断する。
【００５９】
補助情報取得部１７は、映像情報を視聴する上での補助となる情報である１以上の補助情報を取得する。当該補助情報は、通常、番組関連情報であるが、受信映像が示す番組に関連しない番組非関連情報であってもよい。番組非関連情報は、例えば、ＣＭの概要を示すＣＭ概要情報や、ＣＭ中であることを示すＣＭ通知情報、ニュースを示すニュース情報、天気予報を示す天気予報情報などである。なお、補助情報は、通常、文字であるが、画像や、音声、映像情報などであってもよい。
【００６０】
例えば、受信部１４が１以上の番組関連情報を受信した場合、補助情報取得部１７は、番組特定部１６が取得した番組識別子を有する１以上の番組関連情報を、当該受信部１４が受信した１以上の番組関連情報から取得する。
【００６１】
また、例えば、インターネット上に、番組識別子を有する１以上の番組関連情報が掲載されたサイトがある場合、補助情報取得部１７は、番組特定部１６が取得した番組識別子を有する１以上の番組関連情報を、当該インターネット上の番組関連情報から取得する。この場合、補助情報取得部１７は、通常、いわゆる検索エンジンを用いて、当該番組識別子をキーワードとして検索エンジンに与え、インターネット上から、当該番組識別子を有する１以上のサイトを検索する。そして、補助情報取得部１７は、当該サイトに掲載されているいわゆる記事を、番組関連情報として取得する。
【００６２】
また、例えば、電子番組表格納部１３に番組関連情報を有する２以上の番組情報を有する電子番組表が格納されている場合、補助情報取得部１７は、番組特定部１６が取得した番組識別子を有する１以上の番組関連情報を、当該電子番組表格納部１３から取得する。
【００６３】
また、例えば、補助情報取得部１７が、番組識別子と対応付いている１以上の番組非関連情報を保持している場合、補助情報取得部１７は、番組特定部１６が取得した番組識別子に対応付いている１以上の番組非関連情報を、当該保持している１以上の番組非関連情報から取得する。
【００６４】
また、補助情報取得部１７は、例えば、受信部１４が１以上の番組関連情報を受信しているか否かを判断してもよい。また、補助情報取得部１７は、当該判断において、受信していると判断した場合に、当該１以上の番組関連情報に、番組特定部１６が取得した番組識別子に対応する１以上の番組関連情報が存在するか否かを判断してもよい。そして、補助情報取得部１７は、当該判断において、存在すると判断した場合に、当該１以上の番組関連情報から、番組特定部１６が取得した番組識別子に対応する１以上の番組関連情報を取得する。
【００６５】
また、補助情報取得部１７は、例えば、電子番組表格納部１３に電子番組表が格納されているか否かを判断してもよい。また、補助情報取得部１７は、当該判断において、格納されていると判断した場合に、当該電子番組表に、番組特定部１６が取得した番組識別子に対応する１以上の番組関連情報が存在するか否かを判断してもよい。そして、補助情報取得部１７は、当該判断において、存在すると判断した場合に、当該電子番組表から、番組特定部１６が取得した番組識別子に対応する１以上の番組関連情報を取得する。
【００６６】
また、補助情報取得部１７は、例えば、インターネット上に、番組特定部１６が取得した番組識別子に対応する１以上の番組関連情報が存在するか否かを判断してもよい。そして、補助情報取得部１７は、当該判断において、存在すると判断した場合に、当該インターネット上のサイトから、番組特定部１６が取得した番組識別子に対応する１以上の番組関連情報を取得する。
【００６７】
また、補助情報取得部１７は、上記のいずれかの１以上の判断を行い、番組特定部１６が取得した番組識別子に対応する１以上の番組関連情報を取得してもよい。
【００６８】
出力部１８は、補助情報取得部１７が取得した補助情報を出力する。当該出力は、例えば、スピーカーへの出力（音出力）や、ディスプレイへの表示、プロジェクターを用いた投影、プリンタでの印字、他の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。なお、当該他の装置とは、例えば、イヤホンや、ヘッドホン、携帯電話、スマートフォンなど、画像、または音声、または映像情報を受信でき、かつ出力することができる装置である。また、出力部１８は、通常、当該補助情報を、画像、または音声、または映像情報のいずれかの態様にて出力する。
【００６９】
例えば、補助情報取得部１７が取得した補助情報を音声として出力する場合、出力部１８は、以下のいずれかの場合に応じて補助情報を出力する。
（１）補助情報が文字である場合：当該文字を音声合成により音声に変換し、補助音声を取得する。そして、当該補助音声を出力する。
（２）補助情報が音声である場合：当該音声を出力する。
（３）補助情報が画像である場合：当該画像中の文字を文字認識により取得する。そして、当該文字を音声合成により音声に変換し、補助音声を取得する。そして、当該補助音声を出力する。
（４）補助情報が映像情報である場合：当該映像情報が有する音声を取得する。そして、当該音声を出力する。または、当該映像情報が有する画像を取得する。そして、当該画像中の文字を文字認識により取得する。そして、当該文字を音声合成により音声に変換し、補助音声を取得する。そして、当該補助音声を出力する。
【００７０】
また、例えば、補助情報取得部１７が取得した補助情報を画像として出力する場合、出力部１８は、以下のいずれかの場合に応じて補助情報を出力する。
（１）補助情報が文字である場合：当該文字を画像に変換し、補助画像を取得する。そして、当該補助画像を出力する。
（２）補助情報が音声である場合：当該音声を音声認識により文字に変換し、当該文字を取得する。そして、当該文字を画像に変換し、補助画像を取得する。そして、当該補助画像を出力する。
（３）補助情報が画像である場合：当該画像を出力する。
（４）補助情報が映像情報である場合：当該映像情報が有する画像を取得する。そして、当該画像を出力する。または、当該映像情報が有する音声を取得する。そして、当該音声を音声認識により文字に変換し、当該文字を取得する。そして、当該文字を画像に変換し、補助画像を取得する。そして、当該補助画像を出力する。
【００７１】
また、例えば、補助情報取得部１７が取得した補助情報を映像情報として出力する場合、出力部１８は、以下のいずれかの場合に応じて補助情報を出力する。
（１）補助情報が文字である場合：当該文字を画像に変換し、補助画像を取得する。また、当該文字を音声合成により音声に変換し、補助音声を取得する。そして、当該補助画像と補助音声とを対応付け、補助映像情報を生成する。そして、当該補助映像情報を出力する。
（２）補助情報が音声である場合：単色の画像（例えば、黒や白）を、補助画像として取得する。当該画像は、例えば、出力部１８が保持している。そして、当該補助画像と当該音声とを対応付け、補助音声情報を生成する。そして、当該補助映像情報を出力する。
（３）補助情報が画像である場合：無音の音声を、補助音声として取得する。当該音声は、例えば、出力部１８が保持している。そして、当該補助音声と当該画像とを対応付け、補助映像情報を生成する。そして、当該補助映像情報を出力する。
（４）補助情報が映像情報である場合：当該映像情報を出力する。
【００７２】
なお、音声合成、および音声認識、文字認識は、公知の技術であるので、詳細な説明を省略する。また、以上の補助情報取得部１７が取得した補助情報を音声や、画像、映像情報に変換する処理は、補助情報取得部１７が行ってもよい。
【００７３】
また、出力部１８は、通常、映像情報格納部１１に格納されている映像情報を出力する。当該出力は、通常、いわゆる画面への表示である。また、出力部１８は、通常、映像情報格納部１１に格納されている映像情報のうち、最新の映像情報を取得し、出力する。
【００７４】
また、補助音声を出力する場合、出力部１８は、通常、補助音声の音量を、受信音声の音量よりも大きい音量で出力する。この場合、出力部１８は、通常、受信音声の音量を補助音声の音量よりも小さくし、補助音声を出力する。当該「小さくする」ことは、音量をＯＦＦにすることや、音量を０にすること、消音にすることなどを含む。また、出力部１８は、補助音声の音量を受信音声の音量よりも大きくし、補助音声を出力してもよい。
【００７５】
また、出力部１８は、出力している映像情報に代えて、当該補助情報を出力してもよい。また、この場合、出力部１８は、補助情報を画面に表示する場合にのみ、当該補助情報を画面に表示してもよい。つまり、出力部１８は、補助情報が画像である場合にのみ、当該画像を出力してもよい。
【００７６】
出力部１８は、ディスプレイやスピーカーなどの出力デバイスを含むと考えてもよいし、含まないと考えてもよい。出力部１８は、出力デバイスのドライバーソフトまたは、出力デバイスのドライバーソフトと出力デバイスなどで実現され得る。
【００７７】
なお、映像情報格納部１１、広告映像検知情報格納部１２、電子番組表格納部１３は、不揮発性の記録媒体が好適であるが、揮発性の記録媒体でも実現可能である。
【００７８】
また、広告映像情報検知部１５、番組特定部１６、チャンネル識別子取得手段１６１、現在時刻情報取得手段１６２、番組特定手段１６３、補助情報取得部１７は、通常、ＭＰＵやメモリ等から実現され得る。広告映像情報検知部１５等の処理手順は、通常、ソフトウェアで実現され、当該ソフトウェアはＲＯＭ等の記録媒体に記録されている。但し、ハードウェア（専用回路）で実現してもよい。
【００７９】
次に、テレビジョン装置１の動作について説明する。なお、所定の情報におけるｉ番目の情報は、「情報［ｉ］」と記載するものとする。図２は、テレビジョン装置１の全体動作を示すフローチャートである。
【００８０】
（ステップＳ２０１）受信部１４は、映像情報を受信したか否かを判断する。受信した場合は、ステップＳ２０２に進み、そうでない場合は、ステップＳ２０１に戻る。
【００８１】
（ステップＳ２０２）受信部１４は、ステップＳ２０１で受信した映像情報を、映像情報格納部１１に蓄積する。
【００８２】
（ステップＳ２０３）広告映像情報検知部１５は、広告映像検知情報が未取得であるか否かを判断する。未取得である場合は、ステップＳ２０４に進み、そうでない場合は、ステップＳ２０５に進む。
【００８３】
（ステップＳ２０４）広告映像情報検知部１５は、１以上の広告映像検知情報を、広告映像検知情報格納部１２から取得する。
【００８４】
（ステップＳ２０５）広告映像情報検知部１５は、ステップＳ２０４で取得した１以上の広告映像検知情報のいずれかに合致する映像情報を検知したか否かを判断することで、受信映像中のＣＭの開始を検知したか否かを判断する。検知した場合は、ステップＳ２０６に進み、そうでない場合は、ステップＳ２１０に進む。
【００８５】
（ステップＳ２０６）補助情報取得部１７は、補助情報が未取得であるか否かを判断する。未取得である場合は、ステップＳ２０７に進み、そうでない場合は、ステップＳ２１０に進む。
【００８６】
（ステップＳ２０７）番組特定部１６は、受信映像が示す番組を特定する。この処理の詳細は、図３のフローチャートを用いて説明する。
【００８７】
（ステップＳ２０８）補助情報取得部１７は、ステップＳ２０７で番組を特定する際に取得した番組識別子に対応する補助情報を取得する。この処理の詳細は、図４のフローチャートを用いて説明する。
【００８８】
（ステップＳ２０９）出力部１８は、出力中フラグをＯＮ（例えば、「１」）にする。
【００８９】
（ステップＳ２１０）出力部１８は、出力中フラグがＯＮであるか否かを判断する。ＯＮである場合は、ステップＳ２１１に進み、そうでない場合は、ステップＳ２１２に進む。
【００９０】
（ステップＳ２１１）出力部１８は、ステップＳ２０８で取得した補助情報を、音声出力するか否かを判断する。音声出力する場合は、ステップＳ２１２に進み、そうでない場合は、ステップＳ２１３に進む。
【００９１】
（ステップＳ２１２）出力部１８は、ステップＳ２０２で蓄積した映像情報（受信映像）を出力する。
【００９２】
（ステップＳ２１３）出力部１８は、ステップＳ２０８で取得した補助情報を出力する。
【００９３】
（ステップＳ２１４）広告映像情報検知部１５は、ステップＳ２０４で取得した１以上の広告映像検知情報のいずれかに合致する映像情報を検知したか否かを判断することで、受信映像中のＣＭの終了を検知したか否かを判断する。検知した場合は、ステップＳ２１５に進み、そうでない場合は、ステップＳ２０１に戻る。
【００９４】
（ステップＳ２１５）出力部１８は、出力中フラグをＯＦＦ（例えば、「０」）にする。そして、ステップＳ２０１に戻る。
【００９５】
なお、図２のフローチャートにおいて、電源オフや処理終了の割り込みにより処理を終了してもよい。
【００９６】
また、図２のフローチャートのステップＳ２１３の処理において、ステップＳ２１１で音声出力すると判断した場合、出力部１８は、ステップＳ２０８で取得した補助情報を音声出力する。
【００９７】
また、図２のフローチャートのステップＳ２１３の処理において、ステップＳ２０８で取得した補助情報を音、画像、映像情報のいずれの形式で出力するかは、予め決められていてもよい。この場合、当該いずれの形式で出力するかは、通常、任意の記憶領域に格納されているが、出力部１８が保持していてもよい。
【００９８】
図３は、図２のフローチャートのステップＳ２０７の番組の特定処理を示すフローチャートである。
【００９９】
（ステップＳ３０１）番組特定手段１６３は、電子番組表格納部１３に格納されている電子番組表を取得する。ここで、ｍ個の番組情報を有する電子番組表を取得したものとする。
【０１００】
（ステップＳ３０２）チャンネル識別子取得手段１６１は、チャンネル識別子を取得する。
【０１０１】
（ステップＳ３０３）現在時刻情報取得手段１６２は、現在時刻情報を取得する。
【０１０２】
（ステップＳ３０４）番組特定手段１６３は、カウンタｉに１をセットする。
【０１０３】
（ステップＳ３０５）番組特定手段１６３は、番組情報［ｉ］が有するチャンネル識別子と、ステップＳ３０２で取得したチャンネル識別子とが一致するか否かを判断する。一致する場合は、ステップＳ３０６に進み、そうでない場合は、ステップＳ３０８に進む。
【０１０４】
（ステップＳ３０６）番組特定手段１６３は、番組情報［ｉ］が有する放送時間帯情報に、ステップＳ３０４で取得した現在時刻情報が含まれるか否かを判断する。含まれる場合は、ステップＳ３０７に進み、そうでない場合は、ステップＳ３０８に進む。
【０１０５】
（ステップＳ３０７）番組特定手段１６３は、番組情報［ｉ］が有する番組識別子を取得する。
【０１０６】
（ステップＳ３０８）番組特定手段１６３は、ｉがｍであるか否かを判断する。ｍである場合は、上位処理にリターンし、そうでない場合は、ステップＳ３０９に進む。
【０１０７】
（ステップＳ３０９）番組特定手段１６３は、ｉを１インクリメントする。そして、ステップＳ３０５に戻る。
【０１０８】
図４は、図２のフローチャートのステップＳ２０８の補助情報の取得処理を示すフローチャートである。
【０１０９】
（ステップＳ４０１）補助情報取得部１７は、受信部１４が、番組関連情報を受信しているか否かを判断する。受信している場合は、ステップＳ４０２に進み、そうでない場合は、ステップＳ４０４に進む。
【０１１０】
（ステップＳ４０２）補助情報取得部１７は、受信部１４が受信した番組関連情報に、ステップＳ２０７で取得した番組識別子と同一の番組識別子に対応付いている番組関連情報が存在するか否かを判断する。存在する場合は、ステップＳ４０３に進み、そうでない場合は、ステップＳ４０４に進む。
【０１１１】
（ステップＳ４０３）補助情報取得部１７は、受信部１４が受信した番組関連情報から、ステップＳ２０７で取得した番組識別子と同一の番組識別子に対応付いている番組関連情報を取得する。そして、上位処理にリターンする。
【０１１２】
（ステップＳ４０４）補助情報取得部１７は、電子番組表格納部１３に電子番組表が格納されているか否かを判断する。格納されている場合は、ステップＳ４０５に進み、そうでない場合は、ステップＳ４０７に進む。
【０１１３】
（ステップＳ４０５）補助情報取得部１７は、電子番組表格納部１３に格納されている電子番組表に、ステップＳ２０７で取得した番組識別子と同一の番組識別子に対応付いている番組関連情報が存在するか否かを判断する。存在する場合は、ステップＳ４０６に進み、そうでない場合は、ステップＳ４０７に進む。
【０１１４】
（ステップＳ４０６）補助情報取得部１７は、電子番組表格納部１３から、ステップＳ２０７で取得した番組識別子と同一の番組識別子に対応付いている番組関連情報を取得する。そして、上位処理にリターンする。
【０１１５】
（ステップＳ４０７）補助情報取得部１７は、インターネット上に、ステップＳ２０７で取得した番組識別子と同一の番組識別子に対応付いている番組関連情報が存在するか否かを判断する。存在する場合は、ステップＳ４０８に進み、そうでない場合は、上位処理にリターンする。
【０１１６】
（ステップＳ４０８）補助情報取得部１７は、インターネット上のサイトから、ステップＳ２０７で取得した番組識別子と同一の番組識別子に対応付いている番組関連情報を取得する。そして、上位処理にリターンする。
【０１１７】
なお、図４のフローチャートにおいて、ステップＳ４０１の判断、ステップＳ４０４の判断、ステップＳ４０７の判断の順序は問わない。
【０１１８】
（具体例）
次に、テレビジョン装置１の動作の具体例について説明する。なお、本具体例において
テレビジョン装置１は、いわゆるテレビ（テレビ受像器）であるものとする。また、広告映像検知情報格納部１２には、図５に示す広告映像検知情報が格納されているものとする。当該広告映像検知情報は、各レコードを一意に特定するためのＩＤ（項目名：ＩＤ）と、広告映像情報の開始を検知するための条件（項目名：開始）（以下、開始条件）と、広告映像情報の終了を検知するための条件（項目名：終了）（以下、終了条件）とを有する。また、電子番組表格納部１３には、図６に示す電子番組表が格納されているものとする。当該電子番組表は、各レコードを一意に特定するためのＩＤ（項目名：ＩＤ）と、番組コード（項目名：コード）と、番組のタイトル（項目名：タイトル）と、チャンネル識別子（項目名：Ｃｈ）と、日付情報（項目名：放送日）と、放送時間帯情報（項目名：開始、終了）と、番組の概要（項目名：概要）と、番組の詳細（項目名：詳細）とを有する。なお、図６のカクレコードは、番組情報である。また、当該番組情報のうち、番組のタイトルと、番組の概要と、番組の詳細は、番組関連情報である。
【０１１９】
（例１）
まず、ユーザが、テレビの電源をＯＮにする。すると、受信部１４は、映像情報の受信を開始し、テレビの電源がＯＦＦになるまで、映像情報を受信し続ける。また、受信部１４は、受信した映像情報（以降、受信映像）を、映像情報格納部１１に、受信した順に蓄積する。ここで、受信部１４は、通常、１フレーム分の映像情報を１つずつ受信し、映像情報格納部１１に蓄積する。
【０１２０】
また、広告映像情報検知部１５は、図５の広告映像検知情報を、広告映像検知情報格納部１２から取得する。そして、広告映像情報検知部１５は、テレビの電源がＯＦＦになるまで、受信映像に対し、図５の広告映像検知情報のいずれかと合致するか否かを判断し続ける。
【０１２１】
また、出力部１８は、映像情報格納部１１に格納されている受信映像を、蓄積された順に取得し、ユーザにより指定されたチャンネル番号が対応付いている受信映像を出力する。例えば、ユーザがリモコンを操作し、「８」を押したとする。すると、出力部１８は、チャンネル番号「８」が対応付いている受信映像を出力する。また、このとき、ユーザが指定したチャンネル番号は、受信部１４が受信し、任意の記憶領域に蓄積するものとする。
【０１２２】
次に、ユーザがリモコンを操作し、「６」を押したとする。すると、出力部１８は、チャンネル番号「６」が対応付いている受信映像を出力する。ここで、出力部１８が出力している受信映像（受信部１４が受信し、蓄積した映像情報）の音声が、モノラルからステレオに切り替わったとする。すると、広告映像情報検知部１５は、当該受信映像が、図５の「ＩＤ＝０１１」の開始条件「モノラル→ステレオ」に合致すると判断し、受信映像における広告映像情報の開始を検知する。
【０１２３】
次に、チャンネル識別子取得手段１６１は、任意の記憶領域に蓄積されているチャンネル番号「６」を取得する。また、現在時刻情報取得手段１６２は、現在時刻情報を取得し、「１７：１５」を取得したものとする。すると、番組特定手段１６３は、チャンネル識別子取得手段１６１が取得したチャンネル番号「６」と、現在時刻情報取得手段１６２が取得した現在時刻情報「１７：１５」を含む放送時間帯情報とを有する図６の「ＩＤ＝０２１」のレコードが有する番組コード「Ｐ０１２０２１」を、番組識別子として取得する。なお、ここで、番組特定手段１６３は、現在の日付を示す現在日付情報を取得し、当該日付情報も有するレコードの番組識別子を取得してもよい。
【０１２４】
次に、補助情報取得部１７は、補助情報を取得する。ここで、補助情報取得部１７は、電子番組表格納部１３から、補助情報である番組関連情報を取得するものとする。すると、補助情報取得部１７は、番組特定部１６が取得した番組識別子「Ｐ０１２０２１」に対応付いている番組のタイトル「イブニングＮｅｗｓ」と、番組の概要「大型の台風が接近して・・・」と、番組の詳細「どこよりも早くフレッシュな情報を・・・」とを取得する。
【０１２５】
次に、出力部１８は、補助情報取得部１７が取得した番組関連情報を出力する。ここで、出力部１８は、補助情報取得部１７が取得した番組関連情報を音声出力するものとする。すると、出力部１８は、補助情報取得部１７が取得した番組のタイトルと、番組の概要と、番組の詳細とを、音声合成により音声に変換し、補助音声を取得し、当該補助音声を出力する。なお、このとき、出力部１８は、受信映像を出力している。従って、出力部１８は、受信映像の音量を小さくし、補助音声を出力する。また、出力部１８は、広告映像情報検知部１５が受信映像における広告映像情報の終了を検知するまで、受信映像と共に、当該補助音声を出力し続ける。
【０１２６】
次に、出力部１８が出力している受信映像の音声が、ステレオからモノラルに切り替わったとする。すると、広告映像情報検知部１５は、当該受信映像が、図５の「ＩＤ＝０１１」の終了条件「ステレオ→モノラル」に合致すると判断し、受信映像における広告映像情報の終了を検知する。すると、出力部１８は、当該広告情報の終了の検知により、補助音声の出力を終了する。そして、出力部１８は、受信映像の音量を元に戻し、引き続き、受信映像を出力し続ける。
【０１２７】
（例２）
次に、ユーザが、何も操作を行わず、そのままテレビの映像を視聴し続けていたとする。つまり、出力部１８は、チャンネル番号「６」が対応付いている受信映像を出力し続けているとする。ここで、出力部１８が出力している受信映像の画像が、１０フレーム連続で黒色の画像であったとする。すると、広告映像情報検知部１５は、当該受信映像が、図５の「ＩＤ＝０１５」の開始条件「黒：１０フレーム」に合致すると判断し、受信映像における広告映像情報の開始を検知する。
【０１２８】
次に、チャンネル識別子取得手段１６１は、任意の記憶領域に蓄積されているチャンネル番号「６」を取得する。また、現在時刻情報取得手段１６２は、現在時刻情報を取得し、「１９：０５」を取得したものとする。すると、番組特定手段１６３は、チャンネル識別子取得手段１６１が取得したチャンネル番号「６」と、現在時刻情報取得手段１６２が取得した現在時刻情報「１９：０５」を含む放送時間帯情報とを有する図６の「ＩＤ＝０２３」のレコードが有する番組コード「Ｐ０１２０２３」を、番組識別子として取得する。
【０１２９】
次に、補助情報取得部１７は、補助情報を取得する。ここで、受信部１４が、図７に示す番組関連情報を受信したものとする。すると、補助情報取得部１７は、受信部１４が受信した番組関連情報から、番組特定部１６が取得した番組識別子「Ｐ０１２０２３」に対応する番組関連情報を取得すると判断する。そして、補助情報取得部１７は、図７の番組関連情報のうち、番組のタイトル「芸能バラエティー」と、番組の概要「今夜のゲストは、人気急上昇・・・」と、番組の詳細「毎回違うゲストをお迎えして・・・」とを取得する。
【０１３０】
次に、出力部１８は、補助情報取得部１７が取得した番組関連情報を出力する。ここで、出力部１８は、補助情報取得部１７が取得した番組関連情報を音声出力するものとする。すると、出力部１８は、補助情報取得部１７が取得した番組のタイトルと、番組の概要と、番組の詳細とを、音声合成により音声に変換し、補助音声を取得し、当該補助音声を出力する。なお、このときの音量の制御については、例１と同様であるので、説明を省略する。
【０１３１】
次に、出力部１８が、広告映像情報検知部１５による広告映像情報の開始の検知後、９００フレーム分の受信映像を出力したとする。すると、広告映像情報検知部１５は、図５の「ＩＤ＝０１５」の終了条件「９００フレーム」に合致すると判断し、受信映像における広告映像情報の終了を検知する。なお、当該検知後の出力部１８の処理については、例１と同様であるので、説明を省略する。
【０１３２】
（例３）
次に、ユーザがリモコンを操作し、「４」を押したとする。すると、出力部１８は、チャンネル番号「４」が対応付いている受信映像を出力する。ここで、出力部１８が出力している受信映像の画像が、１０フレーム連続で白色の画像であったとする。すると、広告映像情報検知部１５は、当該受信映像が、図５の「ＩＤ＝０１３」の開始条件「白：１０フレーム」に合致すると判断し、受信映像における広告映像情報の開始を検知する。
【０１３３】
次に、チャンネル識別子取得手段１６１は、任意の記憶領域に蓄積されているチャンネル番号「４」を取得する。また、現在時刻情報取得手段１６２は、現在時刻情報を取得し、「１９：４５」を取得したものとする。すると、番組特定手段１６３は、チャンネル識別子取得手段１６１が取得したチャンネル番号「４」と、現在時刻情報取得手段１６２が取得した現在時刻情報「１９：４５」を含む放送時間帯情報とを有する図６の「ＩＤ＝０１２」のレコードが有する番組のタイトル「ぶらり鈍行列車」を、番組識別子として取得する。
【０１３４】
次に、補助情報取得部１７は、補助情報を取得する。ここで、補助情報取得部１７は、番組特定部１６が取得した番組識別子「ぶらり鈍行列車」をキーワードに、いわゆる検索エンジンを用いて、インターネット上のサイトを検索したとする。そして、図８に示すサイトがヒットしたとする。すると、補助情報取得部１７は、インターネット上のサイトから、番組特定部１６が取得した番組識別子「ぶらり鈍行列車」に対応する番組関連情報を取得すると判断する。そして、補助情報取得部１７は、図８のサイトの記事を、番組関連情報として取得する。
【０１３５】
次に、出力部１８は、補助情報取得部１７が取得した番組関連情報を出力する。ここで、出力部１８は、補助情報取得部１７が取得した番組関連情報を画像出力するものとする。すると、出力部１８は、補助情報取得部１７が取得した番組関連情報を画像化し、補助画像を取得し、当該画像を出力する。なお、このとき、出力部１８は、受信映像を出力している。従って、出力部１８は、映像情報を出力している領域を小さくし、補助画像を出力する。このときの様子は、例えば、図９のようになる。図９において、右側が受信映像であり、左側が補助画像である。また、出力部１８は、広告映像情報検知部１５が受信映像における広告映像情報の終了を検知するまで、受信映像と共に、当該補助画像を出力し続ける。
【０１３６】
次に、出力部１８が、広告映像情報検知部１５による広告映像情報の開始の検知後、６０秒間、受信映像を出力したとする。すると、広告映像情報検知部１５は、図５の「ＩＤ＝０１３」の終了条件「６０秒」に合致すると判断し、受信映像における広告映像情報の終了を検知する。すると、出力部１８は、当該広告情報の終了の検知により、補助画像の出力を終了する。そして、出力部１８は、受信映像を出力している領域を元に戻し、引き続き、受信映像を出力し続ける。
【０１３７】
なお、本具体例のように、広告映像情報検知部１５は、通常、受信映像における広告映像情報の開始を検知した際に用いた開始条件に対応付いている終了条件を用いて、受信映像における広告映像情報の終了を検知する。
【０１３８】
なお、本具体例のように、受信部１４は、通常、１フレームごとの映像情報を受信し、映像情報格納部１１に蓄積する。また、出力部１８は、通常、１フレームごとの受信映像を、受信部１４が受信した順序で１フレームごとに出力する。
【０１３９】
以上、本実施の形態によるテレビジョン装置１によれば、ＣＭ中に、番組の視聴を補助する情報を出力することができる。
【０１４０】
また、本実施の形態によるテレビジョン装置１によれば、ＣＭ中に、ＣＭ中に、番組の視聴を補助する情報として、番組に関連する番組関連情報を出力することができる。
【０１４１】
また、本実施の形態によるテレビジョン装置１によれば、例えば、補助情報を音声として出力することにより、ＣＭ中に、視覚障害者の方に、補助情報を伝えることができる。
【０１４２】
また、本実施の形態によるテレビジョン装置１によれば、例えば、補助情報を画像として出力することにより、ＣＭ中に、聴覚障害者の方に、補助情報を伝えることができる。
【０１４３】
また、本実施の形態によるテレビジョン装置１によれば、例えば、補助情報を映像情報として出力することにより、ＣＭ中に、視覚障害者の方、または聴覚障害者の方に、補助情報を伝えることができる。
【０１４４】
また、本実施の形態によるテレビジョン装置１によれば、例えば、補助情報を他の装置に送信することにより、ＣＭ中に、健常者の方へは、受信映像（ＣＭ）を出力し、視覚障害者の方、または聴覚障害者の方へは、別途、補助情報を伝えることができる。
【０１４５】
また、上記各実施の形態において、一の装置に存在する２以上の通信手段は、物理的に一の媒体で実現されてもよいことは言うまでもない。
【０１４６】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１４７】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１４８】
また、上記各実施の形態におけるテレビジョン装置を実現するソフトウェアは、以下のようなプログラムである。つまり、このプログラムは、記録媒体に、画像と音声とを対応付けて有する映像情報であり、広告を示す映像情報である広告映像情報を検知するための情報である１以上の広告映像検知情報が格納されており、コンピュータを、１以上の映像情報を受信する受信部と、前記受信部が受信した映像情報から、前記広告映像検知情報に合致する広告映像情報を検知する広告映像情報検知部と、映像情報を視聴する上での補助となる情報である１以上の補助情報を取得する補助情報取得部と、前記広告映像検知情報に合致する広告映像情報の検知後に、前記補助情報取得部が取得した補助情報を出力する出力部として機能させるためのプログラムである。
【０１４９】
なお、上記プログラムにおいて、ハードウェアでしか行われない処理は少なくとも含まれない。
【０１５０】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１５１】
また、上記プログラムを実行するコンピュータは、単数であってもよいし、複数であってもよい。つまり、集中処理を行ってもよいし、あるいは分散処理を行ってもよい。
【０１５２】
また、図１０は、前述のプログラムを実行して、前述の実施の形態のテレビジョン装置等を実現するコンピュータシステム９の概観図である。前述の実施の形態は、コンピュータハードウェア及びその上で実行されるコンピュータプログラムで実現され得る。
【０１５３】
図１０において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０１５４】
図１１は、コンピュータシステム９のブロック図である。図１１において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０１５５】
コンピュータシステム９に、前述の実施の形態のテレビジョン装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１５６】
プログラムは、コンピュータ９０１に、前述の実施の形態のテレビジョン装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１５７】
本発明は、以上の実施の形態に限定されることなく、種々の変更が可能であり、それらも本発明の範囲内に包含されるものであることは言うまでもない。
【産業上の利用可能性】
【０１５８】
以上のように、本発明にかかるテレビジョン装置は、映像中のＣＭ区間を検知し、当該ＣＭ中に、映像を視聴する上での補助となる情報を提供することができる。これにより、例えば、視覚障害者の方は、映像を視聴する上での補助となる音声を聴くことができる。また、これにより、例えば、聴覚障害者の方は、映像を視聴する上での補助となる画像を観ることができるという効果を有し、いわゆるテレビや、テレビチューナー、ハードディスク・レコーダーやブルーレイディスク・レコーダーなどの映像録画再生機等として有用である。
【符号の説明】
【０１５９】
１  テレビジョン装置
１１  映像情報格納部
１２  広告映像検知情報格納部
１３  電子番組表格納部
１４  受信部
１５  広告映像情報検知部
１６  番組特定部
１７  補助情報取得部
１８  出力部
１６１  チャンネル識別子取得手段
１６２  現在時刻情報取得手段
１６３  番組特定手段
【図１】
2013126079.tif 000003
【図２】
2013126079.tif 000004
【図３】
2013126079.tif 000005
【図４】
2013126079.tif 000006
【図５】
2013126079.tif 000007
【図６】
2013126079.tif 000008
【図７】
2013126079.tif 000009
【図８】
2013126079.tif 000010
【図９】
2013126079.tif 000011
【図１０】
2013126079.tif 000012
【図１１】
2013126079.tif 000013